(57)【特許請求の範囲】
【請求項１】
無線データ通信を行う複数の無線端末によって構成され、前記無線端末のいずれもが直接又は他の少なくとも１以上の無線端末を介することで他の全ての無線端末と通信可能である無線通信ネットワークシステムにおいて、
前記複数の無線端末は、移動可能な移動無線端末と設置場所が固定された固定無線端末とから成り、
前記固定無線端末は、
通信可能な他の固定無線端末をブロードキャストの送信により調査して、自ら送出するデータパケットが着信先の固定無線端末に着信するまでに要する最小の中継回数に関する値と前記着信先の固定無線端末とからなる関係情報を有する構成情報を作成し、前記他の固定無線端末に前記構成情報を通知する手段と、
前記移動無線端末と直接通信可能な隣接固定無線端末である場合、他の隣接固定無線端末との関係情報を有する固定局管理情報を作成し、前記他の固定無線端末に前記隣接固定無線端末との関係情報を通知する手段と、
発信元の固定無線端末である場合、隣接固定無線端末との関係情報を有する発信元管理情報を作成する手段と、
前記構成情報と前記固定局管理情報及び前記発信元管理情報に基づいて、前記固定無線端末間で途中中継しながら前記データパケットの転送を行うことにより、前記データパケットを前記着信先の固定無線端末に送信する手段と、
前記移動無線端末との間でデータパケットを送受信する手段と、
特定時間経過後に前記固定局管理情報と前記発信元管理情報を削除する手段と、を備え、
前記移動無線端末は、
前記固定無線端末のいずれか１つと通信可能な範囲を移動しながら、前記固定無線端末宛てにブロードキャスト送信されたデータパケットを受信する受信手段と、
該データパケットに基いて、自らが直接通信可能であるとする隣接固定無線端末との関係情報を有する移動局管理情報を作成し、該隣接固定無線端末に該移動局管理情報を通知する手段と、
該移動局管理情報に基づいて該隣接固定無線端末と送受信する手段と、
特定時間経過後に前記移動局管理情報を削除する手段と、を備えたことを特徴とする無線通信ネットワークシステム。
【請求項２】
前記固定無線端末は、
データパケットを前記移動無線端末宛てに送信する場合、他の固定無線端末に、中継転送も含めて一回以上前記データパケットを送信する手段と、
前記移動無線端末から前記移動局管理情報を有したデータパケットを受信し該移動無線端末が近傍であることを認識し、他の隣接固定無線端末との関係情報を有する前記固定局管理情報を作成する手段と、
該移動局管理情報を有したデータパケットを元に目的の固定無線端末へ送信する送信用データパケットを作成し、前記目的の固定無線端末宛てに送信する手段と、を備えたことを特徴とする請求項１に記載の無線通信ネットワークシステム。
【請求項３】
前記移動無線端末は、
任意の固定無線端末に対するデータパケット送信の必要性が生じた時点で、前記隣接固定無線端末から受信したデータパケットを元に該隣接固定無線端末を第一の中継固定無線端末としてデータパケットを転送する手段と、
該隣接固定無線端末を検知し認識する手段と、を備え、
前記第一の中継固定無線端末が、前記複数の固定無線端末間で途中中継しながら前記データパケットを転送することにより、目的の固定無線端末宛てに該データパケットを転送することを特徴とする請求項１に記載の無線通信ネットワークシステム。
【請求項４】
無線データ通信を行う複数の無線端末によって構成され、前記無線端末のいずれもが直接又は他の少なくとも１以上の無線端末を介することで他の全ての無線端末と通信可能である無線端末において、
前記複数の無線端末は、移動可能な移動無線端末と設置場所が固定された固定無線端末とから成り、
通信可能な他の固定無線端末をブロードキャストの送信により調査して、自ら送出するデータパケットが着信先の固定無線端末に着信するまでに要する最小の中継回数に関する値と前記着信先の固定無線端末とからなる関係情報を有する構成情報を作成し、前記他の固定無線端末に前記構成情報を通知する手段と、
前記移動無線端末と直接通信可能な隣接固定無線端末である場合、他の隣接固定無線端末との関係情報を有する固定局管理情報を作成し、前記他の固定無線端末に前記隣接固定無線端末との関係情報を通知する手段と、
発信元の固定無線端末である場合、隣接固定無線端末との関係情報を有する発信元管理情報を作成する手段と、
前記構成情報と前記固定局管理情報及び前記発信元管理情報に基づいて、前記固定無線端末間で途中中継しながら前記データパケットの転送を行うことにより、前記データパケットを前記着信先の固定無線端末に送信する手段と、
前記移動無線端末との間でデータパケットを送受信する手段と、
特定時間経過後に前記固定局管理情報と前記発信元管理情報を削除する手段と、を備え、
前記データパケットを前記移動無線端末宛てに送信する場合、他の固定無線端末に、中継転送も含めて一回以上前記データパケットを送信する手段と、
前記移動無線端末から前記移動無線端末と直接通信可能であるとする前記隣接固定無線端末との関係情報である移動局管理情報を有したデータパケットを受信し該移動無線端末が近傍であることを認識し、他の隣接固定無線端末との関係情報を有する前記固定局管理情報を作成する手段と、
該移動局管理情報を有したデータパケットを元に目的の固定無線端末へ送信する送信用データパケットを作成し、前記目的の固定無線端末宛てに送信する手段と、を備えることを特徴とする固定無線端末。
【請求項５】
無線データ通信を行う複数の無線端末によって構成され、前記無線端末のいずれもが直接又は他の少なくとも１以上の無線端末を介することで他の全ての無線端末と通信可能である無線端末において、
前記複数の無線端末は、移動可能な移動無線端末と設置場所が固定された固定無線端末とから成り、
前記固定無線端末のいずれか１つと通信可能な範囲を移動しながら、前記固定無線端末宛てにブロードキャスト送信されたデータパケットを受信する受信手段と、
該データパケットに基いて、自らが直接通信可能であるとする隣接固定無線端末との関係情報を有する移動局管理情報を作成し、該隣接固定無線端末に該移動局管理情報を通知する手段と、該移動局管理情報に基づいて該隣接固定無線端末と送受信する手段と、
特定時間経過後に前記移動局管理情報を削除する手段と、を備え、
任意の固定無線端末に対するデータパケット送信の必要性が生じた時点で、隣接固定無線端末から受信したデータパケットを元に該隣接固定無線端末を第一の中継固定無線端末としてデータパケットを転送する手段と、
該隣接固定無線端末を検知し認識する手段と、
を備え、
該第一の中継固定無線端末が、前記複数の固定無線端末間で途中中継しながら前記データパケットを転送することにより、目的の固定無線端末宛てに該データパケットを転送する手段と、を備えることを特徴とする移動無線端末。
【請求項６】
無線データ通信を行う複数の無線端末によって構成され、前記無線端末のいずれもが直接又は他の少なくとも１以上の無線端末を介することで他の全ての無線端末と通信可能である無線通信ネットワークシステムにおいて実行される無線通信方法であって、
前記複数の無線端末は、移動可能な移動無線端末と設置場所が固定された固定無線端末とから成り、
前記固定無線端末は、
通信可能な他の固定無線端末をブロードキャストの送信により調査して、自ら送出するデータパケットが着信先の固定無線端末に着信するまでに要する最小の中継回数に関する値と前記着信先の固定無線端末とからなる関係情報を有する構成情報を作成し、前記他の固定無線端末に前記構成情報を通知し、前記移動無線端末と直接通信可能な隣接固定無線端末である場合、他の隣接固定無線端末との関係情報を有する固定局管理情報を作成し、前記他の固定無線端末に前記隣接固定無線端末との関係情報を通知し、発信元の固定無線端末である場合、隣接固定無線端末との関係情報を有する発信元管理情報を作成し、
前記構成情報と前記固定局管理情報及び前記発信元管理情報に基づいて、前記固定無線端末間で途中中継しながら前記データパケットの転送を行うことにより、前記データパケットを前記着信先の固定無線端末に送信し、
前記移動無線端末との間でデータパケットを送受信し、
特定時間経過後に前記固定局管理情報と前記発信元管理情報を削除し、
データパケットを前記移動無線端末宛てに送信する場合、他の固定無線端末に、中継転送も含めて一回以上前記データパケットを送信し、
前記移動無線端末から前記移動無線端末と直接通信可能であるとする隣接固定無線端末との関係情報である移動局管理情報を有したデータパケットを受信し該移動無線端末が近傍であることを認識し、他の隣接固定無線端末との関係情報を有する前記固定局管理情報を作成し、
該移動局管理情報を有したデータパケットを元に目的の固定無線端末へ送信する送信用データパケットを作成し、前記目的の固定無線端末宛てに送信し、
前記移動無線端末は、
前記固定無線端末のいずれか１つと通信可能な範囲を移動しながら、固定無線端末宛てにブロードキャスト送信されたデータパケットを受信し、
該データパケットに基いて、自らが直接通信可能であるとする隣接固定無線端末との関係情報を有する移動局管理情報を作成し、該隣接固定無線端末に該移動局管理情報を通知し、
該移動局管理情報に基づいて該隣接固定無線端末とデータパケットを送受信し、
任意の固定無線端末に対するデータパケット送信の必要性が生じた時点で、前記隣接固定無線端末から受信したデータパケットを元に該隣接固定無線端末を第一の中継無線端末としてデータパケットを転送し、
該第一の中継無線端末が、前記複数の固定無線端末間で途中中継しながら前記データパケットを転送することにより、目的の固定無線端末宛てに該データパケットを転送し、特定時間経過後に前記移動局管理情報を削除することを特徴とする無線通信方法。
【請求項７】
無線データ通信を行う複数の無線端末によって構成され、前記無線端末のいずれもが直接又は他の少なくとも１以上の無線端末を介することで他の全ての無線端末と通信可能である無線通信ネットワークシステムにおいて実行される無線通信方法を実行するソフトウェアプログラムを含むコンピュータで実行可能な無線通信プログラムであって、
前記複数の無線端末は、移動可能な移動無線端末と設置場所が固定された固定無線端末とから成り、
前記固定無線端末は、
通信可能な他の固定無線端末をブロードキャストの送信により調査して、自ら送出するデータパケットが着信先の固定無線端末に着信するまでに要する最小の中継回数に関する値と前記着信先の固定無線端末とからなる関係情報を有する構成情報を作成し、前記他の固定無線端末に前記構成情報を通知し、前記移動無線端末と直接通信可能な隣接固定無線端末である場合、他の隣接固定無線端末との関係情報を有する固定局管理情報を作成し、前記他の固定無線端末に前記隣接固定無線端末との関係情報を通知し、発信元の固定無線端末である場合、隣接固定無線端末との関係情報を有する発信元管理情報を作成し、
前記構成情報と前記固定局管理情報及び前記発信元管理情報に基づいて、前記固定無線端末間で途中中継しながら前記データパケットの転送を行うことにより、該データパケットを前記着信先の固定無線端末に送信し、
前記移動無線端末との間でデータパケットを送受信し、
前記データパケットを前記移動無線端末宛てに送信する場合、他の固定無線端末に、中継転送も含めて一回以上前記データパケットを送信し、
前記移動無線端末から前記移動無線端末と直接通信可能であるとする隣接固定無線端末との関係情報である移動局管理情報を有したデータパケットを受信し該移動無線端末が近傍であることを認識し、他の隣接固定無線端末との関係情報を有する前記固定局管理情報を作成し、該移動局管理情報を有したデータパケットを元に目的の固定無線端末へ送信する送信用データパケットを作成し、前記目的の固定無線端末宛てに送信し、
特定時間経過後に前記固定局管理情報と前記発信元管理情報を削除し、
前記移動無線端末は、
前記固定無線端末のいずれか１つと通信可能な範囲を移動しながら、固定無線端末宛てにブロードキャスト送信されたデータパケットを受信し、
該データパケットに基いて、自らが直接通信可能であるとする隣接固定無線端末との関係情報を有する移動局管理情報を作成し、該隣接固定無線端末に該移動局管理情報を通知し、
該移動局管理情報に基づいて該隣接固定無線端末と送受信し、
任意の固定無線端末に対するデータパケット送信の必要性が生じた時点で、前記隣接固定無線端末から受信したデータパケットを元に該隣接固定無線端末を第一の中継固定無線端末としてデータパケットを転送し、
該第一の中継固定無線端末が、前記複数の固定無線端末間で途中中継しながら前記データパケットを転送することにより、目的の固定無線端末宛てに該データパケットを転送し、
特定時間経過後に前記移動局管理情報を削除する無線通信方法を実行するソフトウェアプログラムを含むコンピュータで実行可能な無線通信プログラム。
【発明の詳細な説明】
【技術分野】
【０００１】
本発明は、複数の機器が無線通信によってデータの送受を行う無線通信ネットワーク技術に関し、特に無線通信ネットワークに接続された発信元の無線端末が種々の情報をパケット化して発信し他の無線端末が中継を繰り返しながら着信先の無線端末まで転送するシステムで用いる技術に関し、更には無線通信ネットワーク内に移動無線端末が存在する場合における無線通信ネットワークシステム、固定無線端末、移動無線端末、無線通信方法、及び無線通信プログラムに関する。
【背景技術】
【０００２】
従来、無線通信ネットワークにおいては、メッシュ状に構成されたマルチホップの無線通信ネットワーク中の任意の無線端末間でデータ転送を行うために各無線端末は無線端末間における無線接続情報を作成し、この情報の交換を行うことで互いの位置関係を認識し、この情報を無線通信ネットワークの全ての無線端末に周知することでデータを転送することが出来る無線通信ネットワークが知られている。各無線端末が無線通信ネットワークのメッシュ構造と無線端末の接続位置を認識するためには、一定周期並びに無線接続情報が無線通信ネットワーク全体に広がるまでの時間が必要である。
【０００３】
すなわち従来は固定無線端末を対象とした技術であり一定周期並びに無線接続情報が無線通信ネットワーク全体に広がるまでの時間に対し十分長い時間構成が変化しないものに対してのみ対応可能であった。この無線通信ネットワークシステムに関しては特許文献１に開示されている。
【０００４】
例えば、移動無線端末の移動速度によって移動無線端末の無線接続情報を認識し、その情報を元にパケット転送しようとすると移動無線端末は既に別の場所に移動している場合もあり、データが移動無線端末に正しく転送されない可能性が出て来る。
【０００５】
また、上記のような無線通信ネットワークにおいて、移動無線端末を対象とした技術として特許文献２に詳細が開示されている。無線通信ネットワーク内を移動する一台以上の無線端末が存在する場合において、移動無線端末の位置を認識することなく移動する無線端末へパケット化されたデータを転送でき、移動する無線端末からも転送できるという技術があるが、固定無線端末は移動無線端末の移動速度に合わせてパケットを送信しつづけることになり、結果として無線通信ネットワーク上に無駄なパケットを送信することになりトラフィック増大となることが考えられた。また、固定無線端末と移動無線端末間でパケット受信の確認を行っていないため移動無線端末へパケットが到達していない可能性があった。
【特許文献１】特開２０００−１３３７６号公報
【特許文献２】特開２００３−８６２６号公報
【発明の開示】
【発明が解決しようとする課題】
【０００６】
従来の、無線通信ネットワークにおいて無線通信ネットワーク内を移動する一台以上の無線端末が存在する場合、情報を送信したい固定無線端末は移動無線端末に対してデータを転送するために、移動無線端末が現在どの無線端末と接続中なのかを認識する必要があった。しかし、移動無線端末によっては固定無線端末が従来技術の上記特許文献２のような方法によって移動無線端末の無線接続情報を認識し、その情報を元にパケット転送しようとする場合、移動無線端末はすでに別の場所に移動している場合もありデータが移動無線端末に正しく転送されない可能性があった。
【０００７】
また、上記特許文献２の方法で送信する場合、固定無線端末は移動無線端末の移動速度に合わせてパケットを送信しつづけることになり、結果として無線通信ネットワークとしては無駄なパケットを送信すること、また、固定無線端末と移動無線端末間でパケット受信の確認を行っていないため移動無線端末へパケットが到達していない可能性があるという問題点が考えられた。
【０００８】
本発明は、無線通信ネットワークにおいて、無線通信ネットワーク内を移動する一台以上の移動無線端末が存在し固定無線端末は移動無線端末の位置を認識し移動無線端末へパケット化されたデータを転送でき、移動無線端末からも転送できることを目的とし、更に無線通信ネットワーク内の無駄なパケットを低減し、移動無線端末と固定無線端末間のパケット受信の確認を行えるようにする、このような無線通信ネットワークシステム、固定無線端末、移動無線端末、無線通信方法、及び無線通信プログラムを提供することを目的とする。
【課題を解決するための手段】
【０００９】
本発明は、上記課題を解決するため、下記のような構成を採用した。すなわち、本発明によれば、無線データ通信を行う複数の無線端末によって構成され、上記無線端末のいずれもが直接又は他の少なくとも１以上の無線端末を介することで他の全ての無線端末と通信可能である無線通信ネットワークシステムにおいて、上記複数の無線端末は、移動可能な移動無線端末と設置場所が固定された固定無線端末とから成り、上記固定無線端末は、通信可能な他の固定無線端末をブロードキャストの送信により調査して、自ら送出するデータパケットが着信先の固定無線端末に着信するまでに要する最小の中継回数に関する値と上記着信先の固定無線端末とからなる関係情報を有する構成情報を作成し、上記他の固定無線端末に上記構成情報を通知する手段と、上記移動無線端末と直接通信可能な隣接固定無線端末である場合、他の隣接固定無線端末との関係情報を有する固定局管理情報を作成し、上記他の固定無線端末に上記隣接固定無線端末との関係情報を通知する手段と、上記着信元の固定無線端末である場合、隣接固定無線端末との関係情報を有する発信元管理情報を作成する手段と、上記構成情報と上記固定局管理情報及び上記発信元管理情報に基づいて、上記固定無線端末間で途中中継しながら上記データパケットの転送を行うことにより、上記データパケットを上記着信先の固定無線端末に送信する手段と、上記移動無線端末との間でデータパケットを送受信する手段と、特定時間経過後に上記固定局管理情報と上記発信元管理情報を削除する手段と、を備え、上記移動無線端末は、上記固定無線端末のいずれか１つと通信可能な範囲を移動しながら、上記固定無線端末宛てにブロードキャスト送信されたデータパケットを受信する受信手段と、該データパケットに基づき、自らが直接通信可能であるとする隣接固定無線端末との関係情報を有する移動局管理情報を作成し、該隣接固定無線端末に該移動局管理情報を通知する手段と、該移動局管理情報に基づいて、該隣接固定無線端末と送受信する手段と、特定時間経過後に上記移動局管理情報を削除する手段と、を備えたことを特徴とする。
【００１０】
上記固定無線端末は、データパケットを上記移動無線端末宛てに送信する場合、上記他の全ての固定無線端末に、中継転送も含めて一回以上上記データパケットを送信する手段と、上記移動無線端末から上記移動局管理情報を有したデータパケットを受信し該移動無線端末が近傍であることを認識し、他の隣接固定無線端末との関係情報を有する上記固定局管理情報を作成する手段と、該移動局管理情報を有したデータパケットを元に目的の固定無線端末へ送信する送信用データパケットを作成し、上記目的の固定無線端末宛てに送信する手段と、を備えたことを特徴とする。
【００１１】
上記移動無線端末は、任意の固定無線端末に対するデータパケット送信の必要性が生じた時点で、上記隣接固定無線端末から受信したデータパケットを元に該隣接固定無線端末を第一の中継固定無線端末としてデータパケットを転送する手段と、該隣接固定無線端末を検知し認識する手段と、を備え、上記第一の中継固定無線端末が、上記複数の固定無線端末間で途中中継しながら前記データパケットを転送することにより、目的の固定無線端末宛てに該データパケットを転送することを特徴とする。
【００１２】
無線データ通信を行う複数の無線端末によって構成され、上記無線端末のいずれもが直接又は他の少なくとも１以上の無線端末を介することで他の全ての無線端末と通信可能である無線端末において、上記複数の無線端末は、移動可能な移動無線端末と設置場所が固定された固定無線端末とから成り、固定無線端末は、通信可能な他の固定無線端末をブロードキャストの送信により調査して、自ら送出するデータパケットが着信先の固定無線端末に着信するまでに要する最小の中継回数に関する値と上記着信先の固定無線端末とからなる関係情報を有する構成情報を作成し、上記他の固定無線端末に上記構成情報を通知する手段と、上記移動無線端末と直接通信可能な隣接固定無線端末である場合、他の隣接固定無線端末との関係情報を有する固定局管理情報を作成し、上記他の固定無線端末に上記隣接固定無線端末との関係情報を通知する手段と、上記着信元の固定無線端末である場合、隣接固定無線端末との関係情報を有する発信元管理情報を作成する手段と、上記構成情報と上記固定局管理情報及び上記発信元管理情報に基づいて、上記固定無線端末間で途中中継しながら上記データパケットの転送を行うことにより、該データパケットを上記着信先の固定無線端末に送信する手段と、特定時間経過後に上記固定局管理情報と上記発信元管理情報を削除する手段と、を備え、上記データパケットを上記移動無線端末宛てに送信する場合、上記他の全ての固定無線端末に、中継転送も含めて一回以上上記データパケットを送信する手段と、上記移動無線端末から上記移動無線端末と直接通信可能であるとする上記隣接固定無線端末との関係情報である移動局管理情報を有したデータパケットを受信し該移動無線端末が近傍であることを認識し、他の隣接固定無線端末との関係情報を有する固定局管理情報を作成する手段と、該移動局管理情報を有したデータパケットを元に目的の固定無線端末へ送信する送信用データパケットを作成し、上記目的の固定無線端末宛てに送信する手段と、を備えることを特徴とする。
【００１３】
無線データ通信を行う複数の無線端末によって構成され、上記無線端末のいずれもが直接又は他の少なくとも１以上の無線端末を介することで他の全ての無線端末と通信可能である無線端末において、上記複数の無線端末は、移動可能な移動無線端末と設置場所が固定された固定無線端末とから成り、移動無線端末は、上記固定無線端末のいずれか１つと通信可能な範囲を移動しながら、上記固定無線端末宛てにブロードキャスト送信されたデータパケットを受信する受信手段と、該データパケットに基づき、自らが直接通信可能であるとする隣接固定無線端末との関係情報を有する移動局管理情報を作成し、該隣接固定無線端末に該移動局管理情報を通知する手段と、該移動局管理情報に基づいて、該隣接固定無線端末と送受信する手段と、特定時間経過後に上記移動局管理情報を削除する手段と、を備え、任意の固定無線端末に対するデータパケット送信の必要性が生じた時点で、隣接固定無線端末から受信したデータパケットを元に該隣接固定無線端末を第一の中継固定無線端末としてデータパケットを転送する手段と、該隣接固定無線端末を検知し認識する手段とを備え、該第一の中継無線端末が、上記複数の固定無線端末間で途中中継しながらデータパケットを転送することにより、目的の固定無線端末宛てに該データパケットを転送する手段と備えることを特徴とする。
【００１４】
無線データ通信を行う複数の無線端末によって構成され、上記無線端末のいずれもが直接又は他の少なくとも１以上の無線端末を介することで他の全ての無線端末と通信可能である無線通信ネットワークシステムにおいて実行される無線通信方法であって、上記複数の無線端末は、移動可能な移動無線端末と設置場所が固定された固定無線端末とから成り、上記固定無線端末は、通信可能な他の固定無線端末をブロードキャストの送信により調査して、自ら送出するデータパケットが着信先の固定無線端末に着信するまでに要する最小の中継回数に関する値と上記着信先の固定無線端末とからなる関係情報を有する構成情報を作成し、上記他の固定無線端末に上記構成情報を通知し、上記移動無線端末と直接通信可能な隣接固定無線端末である場合、他の隣接固定無線端末との関係情報を有する固定局管理情報を作成し、上記他の固定無線端末に上記隣接固定無線端末との関係情報を通知し、上記着信元の固定無線端末である場合、隣接固定無線端末との関係情報を有する発信元管理情報を作成し、上記構成情報と上記固定局管理情報及び上記発信元管理情報に基づいて、上記固定無線端末間で途中中継しながら上記データパケットの転送を行うことにより、上記データパケットを上記着信先の固定無線端末に送信し、上記移動無線端末との間でデータパケットを送受信し、特定時間経過後に上記固定局管理情報と上記発信元管理情報を削除し、データパケットを上記移動無線端末宛てに送信する場合、他の固定無線端末に、中継転送も含めて一回以上上記データパケットを送信し、上記移動無線端末から上記移動無線端末と直接通信可能であるとする隣接固定無線端末との関係情報である移動局管理情報を有したデータパケットを受信し該移動無線端末が近傍であることを認識し、他の隣接固定無線端末との関係情報を有する上記固定局管理情報を作成し、該移動局管理情報を有したデータパケットを元に目的の固定無線端末へ送信する送信用データパケットを作成し、上記目的の固定無線端末宛てに送信し、上記移動無線端末は、上記固定無線端末のいずれか１つと通信可能な範囲を移動しながら、固定無線端末宛てにブロードキャスト送信されたデータパケットを受信し、該データパケットに基づき、自らが直接通信可能であるとする隣接固定無線端末との関係情報を有する移動局管理情報を作成し、該隣接固定無線端末に該移動局管理情報を通知し、該移動局管理情報に基づいて、該隣接固定無線端末と送受信し、任意の固定無線端末に対するデータパケット送信の必要性が生じた時点で、上記隣接固定無線端末から受信したデータパケットの移動局管理情報を元に該隣接固定無線端末を第一の中継無線端末としてデータパケットを転送し、該第一の中継無線端末が、上記複数の固定無線端末間で途中中継しながらデータパケットを転送することにより、目的の固定無線端末宛てに該データパケットを転送し、特定時間経過後に上記移動局管理情報を削除することを特徴とする。
【００１５】
上記無線通信方法を実行するソフトウェアプログラムを含むコンピュータで実行可能な通信プログラムを備える。この構成により無線通信ネットワーク内を移動する移動無線端末の接続状況を認識することで、従来技術の方法のような無駄なパケットを送信することなく、更には、移動無線端末と固定無線端末間でパケット受信確認を取ることが出来るため、信頼性の向上が可能になり、移動無線端末と固定無線端末間でパケットの送受信を行うことが可能になる。
【発明の効果】
【００１６】
上記説明してきたように、本発明によれば特定エリアにおける無線通信ネットワークにおいて無線通信ネットワーク内に１つ以上の移動無線端末が存在している場合でも、移動無線端末と固定無線端末との接続状況を認識しその接続状況をもとにパケットを送信することで、無線通信ネットワーク内に無駄なパケットを送信することなく、更には、固定無線端末と移動無線端末間で受信の確認を行うことで信頼性の高い無線通信を行うことが可能である。また、移動無線端末と固定無線端末との接続状況を利用することで固定無線端末から移動無線端末、移動無線端末から固定無線端末のどちらでも無線通信が可能である。これにより、無線通信ネッワークの利用性を向上することが可能である。
【発明を実施するための最良の形態】
【００１７】
以下、本発明の実施の形態を、図面を参照しながら詳細に説明する。図１は特定のエリアに分散配置された無線通信ネットワークの例を示す図である。図１において無線通信ネットワークは固定無線端末である無線機Ａ（１Ａ）、Ｂ（１Ｂ）、Ｃ（１Ｃ）、Ｄ（１Ｄ）、Ｅ（１Ｅ）、Ｆ（１Ｆ）によって構成されている。図中の点線は無線通信のルートであり直接接続できる通信範囲であり無線端末はバケツリレー式にパケット通信が可能である。
【００１８】
また、図１において移動無線端末である無線機Ｈ（１Ｈ）は上記無線通信ネットワーク内を移動する無線端末である。そして、固定無線端末である無線機Ａ（１Ａ）乃至Ｆ（１Ｆ）のいずれかが発信したパケットを移動無線端末である無線機Ｈ（１Ｈ）が移動範囲のすべての場所で受信可能であるように無線機Ａ（１Ａ）乃至Ｆ（１Ｆ）は配置されている。
従来、無線機Ａ（１Ａ）乃至Ｆ（１Ｆ）は、上記特許文献１に記載の方法により互いの無線接続情報から位置関係を認識し通知することによって無線通信ネッワークのメッシュ構造と互いの位置関係を知っていて、移動無線端末は上記特許文献２に記載の方法により、固定無線端末である無線機Ａ（１Ａ）乃至Ｆ（１Ｆ）が発信元固定無線端末以外に送信している移動無線端末である無線機Ｈ（１Ｈ）の移動速度より充分に高速なパケットを無線機Ｈ（１Ｈ）が傍受することができ、無線機Ｈ（１Ｈ）がデータ転送を行うとき最後に受信したパケットを送信した固定無線端末である無線機の近傍にいるとし、第１の中継固定無線端末と認識しパケットを転送する。
【００１９】
その後は上記特許文献１に記載の方法により目的とする固定無線端末にパケットを転送し、移動無線端末の無線接続情報を認識することなく固定無線端末からも移動無線端末からもデータを転送できるというものだった。
【００２０】
図１３は固定無線端末装置と移動無線端末装置の構成図で、固定無線端末（１３３）と移動無線端末（１３３）の構成を示す。固定無線端末（１３３）と移動無線端末（１３３）には送受信に用いられるアンテナ（１３１）と、１３２は従来技術である特許文献１の機能を有した送受信部、通信制御部、パケット解析部、情報処理制御部があり、管理情報格納部（１３５）と管理情報制御処理部（１３４）を備えている。管理情報格納部（１３５）は固定無線端末又は移動無線端末が受信した管理情報（無線接続情報）（以下、同じ）として格納し、１３４は管理情報を制御処理して必要とするパケットの情報を作成し格納する。
【００２１】
図１において、固定無線端末である無線機Ａ（１Ａ）から移動無線端末である無線機Ｈ（１Ｈ）に、パケットを転送する場合を考えてみる。
図２は固定無線端末から移動無線端末へパケットを送信するフロー図で、図１において、発信元である無線機Ａ（１Ａ）は無線機Ｈ（１Ｈ）に対する管理情報を現状含んでいない場合（初期状態）を考える。無線機Ａは、無線機Ｈに対する管理情報がない状態（Ｓ１）のため図２のフローに従い、無線機Ｈを検出するために検索を開始（Ｓ２）する。発信元無線機Ａ（１Ａ）がブロードキャスト送信を行い、無線機Ａ（１Ａ）と直接接続可能な範囲に設置されている無線機Ｂ（Ｂ）と無線機Ｃ（１Ｃ）が、無線機Ａがブロードキャスト送信したパケットを受信する。
【００２２】
次に無線機Ｂ（１Ｂ）及び無線機Ｃ（１Ｃ）はブロードキャスト送信でパケットを送信する。（ブロードキャストであることを認識する方法として従来技術特許文献２の着信用ヘッダ部分にブロードキャスト識別子で判断する）、更にそれぞれの無線機がブロードキャスト送信であると判断しブロードキャスト送信を行う。上記と同じように無線機Ｂ（１Ｂ）がブロードキャスト送信したパケットを無線機Ａ（１Ａ）、無線機Ｃ（１Ｃ）及び無線機Ｄ（１Ｄ）が受信する。
【００２３】
発信元無線機Ａ（１Ａ）は無線機Ｂ（１Ｂ）からブロードキャスト送信を受信しブロードキャスト送信を止め無線機Ｃ（１Ｃ）もブロードキャスト送信を止める。無線機Ｃ（１Ｃ）がブロードキャスト送信したパケットを無線機Ａ（１Ａ）、無線機Ｂ（１Ｂ）、無線機Ｅ（１Ｅ）は受信し移動無線端末の無線機Ｈ（１Ｈ）もこのとき無線機Ｃ（１Ｃ）からのブロードキャスト送信を受信する。
【００２４】
無線機Ａ（１Ａ）は発信元であるためブロードキャスト送信を止め、無線機Ｂ（１Ｂ）も既にブロードキャスト送信されたパケットを受信しているため、ブロードキャスト送信を止め以下同様にして、無線機Ｄ（１Ｄ）、無線機Ｅ（１Ｅ）、無線機Ｆ（１Ｆ）もブロードキャスト送信を行う、以上の通信シーケンスを図３に示す。
【００２５】
図３は上記無線通信ネットワーク内の固定無線端末である無線機Ａ（１Ａ）乃至Ｆ（１Ｆ）と移動無線端末である無線機Ｈ（１Ｈ）の通信シーケンスを示したものであり、横軸である矢印はそれぞれ時間軸であり、縦軸である点線は無線機がブロードキャスト送信するパケットの送信タイミングポイントで各無線機から直接接続できる通信範囲の送信と受信とのタイミングの関係を示す（図３において受信と送信は同タイミングであるが、実際には受信タイミングが送信タイミングより遅れる）。
【００２６】
移動無線端末である無線機Ｈ（１Ｈ）は、上記ブロードキャスト送信を行うことで図３に示すように無線機Ｈがブロードキャスト送信を受信する（３１）（３２）。
無線機Ｃ（１Ｃ）がブロードキャスト送信（３１）をし無線機Ｅ（１Ｅ）がブロードキャスト送信（３２）をし、それぞれで無線機Ｈ（１Ｈ）は受信をしている。しかし、無線機Ｄ（１Ｄ）もこのタイミングで送信しているが今回の場合は無線機Ｄ（１Ｄ）は無線機Ｈ（１Ｈ）が傍受できないため、言い換えれば図１と図３において３３の範囲で無線機Ｄ（１Ｄ）と直接接続可能な無線機は無線機Ｂ（１Ｂ）、Ｅ（１Ｅ）、Ｆ（１Ｆ）であり３４、３５、３６である。
【００２７】
よって、無線機Ｈ（１Ｈ）が受信できる直接接続が可能な無線機は無線機Ｃ（１Ｃ）及び無線機Ｅ（１Ｅ）の送信に対してのみ受信をしている。このことから近傍の無線機が判断できる。そして、無線機Ｈ（１Ｈ）は近傍にいる無線機がＣ（１Ｃ）、Ｅ（１Ｅ）であることの情報を保持し、移動局管理情報として登録する。
【００２８】
図４は移動局管理情報の例であり、移動局管理情報は、目的となる通信相手この場合固定無線端末である無線機Ａ（１Ａ）を通信相手固定無線機ＩＤと、その通信相手固定端末にパケットを送信するための隣接固定無線機ＩＤにより構成される（移動局管理情報の構成は例であり各ＩＤの順番などを決めるものではない）。
【００２９】
次に、無線機Ｈ（１Ｈ）は、内部に保持している移動局管理情報を特定時間後（特定時間とは無線通信ネットワーク内の環境変化、移動無線端末の移動速度によって計算した固定値又は、イベント、時間毎に再計算をした値など）に無線通信ネットワーク内の各固定無線端末に通知する。通知された移動局管理情報を受信した固定無線端末である無線機Ｃ（１Ｃ）及び無線機Ｅ（１Ｅ）は、受信した移動局管理情報を元に内部の固定局管理情報として登録する。
【００３０】
図５及び図６に登録した固定局管理情報の例を示す。図５は無線機Ｃ（１Ｃ）の固定局管理情報、図６は無線機Ｅ（１Ｅ）の固定局管理情報の例である。固定局管理情報は、移動無線機ＩＤと、その移動無線端末に接続している自局以外の固定無線端末のＩＤ、別の隣接固定無線機ＩＤから構成される。（固定局管理情報の構成は例であり各ＩＤの順番などを決めるものではない）以上、「移動局管理情報」と「固定局管理情報」により無線機Ｈ（１Ｈ）と無線機Ｃ（１Ｃ）及び無線機Ｅ（１Ｅ）はそれぞれの「位置関係」を認識することが出来た。
【００３１】
しかしこのままではブロードキャスト送信したパケットの発信元の無線機Ａ（１Ａ）は、まだ移動無線端末である無線機Ｈ（１Ｈ）を認識していないため、無線機Ｈ（１Ｈ）は、先ほど作成した図４に記載の移動局管理情報を元に応答パケットを作成し発信元の無線機Ａ（１Ａ）へ応答を返信する。応答パケットのフォーマットの例を図７に示します。
【００３２】
図７は、そのパケットの発信元無線機ＩＤと着信先無線機ＩＤ、中継送信元無線機ＩＤと中継受信先無線機ＩＤから成り立っている。無線機Ｈ（１Ｈ）は移動無線機ＩＤに無線機Ｈ、発信元無線機ＩＤに無線機Ｈ（１Ｈ）、着信先無線機ＩＤに無線機Ａ（１Ａ）、中継送信元無線機ＩＤに無線機Ｈ（１Ｈ）を格納する。中継受信先無線機ＩＤは隣接する固定無線機を、移動局管理情報を参照することで、隣接する固定無線機が無線機Ｃ（１Ｃ）と無線機Ｅ（１Ｅ）であることが分かる。中継受信先無線機ＩＤは図４移動局管理情報の隣接固定無線機ＩＤから無線機Ｃ（１Ｃ）でも無線機Ｅ（１Ｅ）のどちらかを選択し格納する。無線機の選択方法はＩＤの場所で決めてもかまわないが、別の選択方法として計算を用意することも考えられる。例えば受信レベルを用いダイバーシチーを行う。この例において、無線機Ｃ（１Ｃ）を中継受信先無線機ＩＤに格納し上記で作成した応答パケットを無線機Ｈ（１Ｈ）が送信をする。
【００３３】
無線機Ｃ（１Ｃ）が応答パケットを受信しそのとき無線機Ｃ（１Ｃ）は中継受信先無線機ＩＤが同一であることを認識し中継受信を行い次の処理を行う。
無線機Ｃ（１Ｃ）は、無線機Ｈ（１Ｈ）より送信された応答パケットより送信用パケットを作成する。パケットの移動無線機ＩＤは無線機Ｈ（１Ｈ）のままとし発信元無線機ＩＤを無線機Ｃ（１Ｃ）、中継送信元無線機ＩＤを無線機Ｃ（１Ｃ）とする。中継受信先無線機ＩＤは、従来技術の方法により図８に記載の構成情報を元に選択する。図８に、無線機Ｃ（１Ｃ）の構成情報（関係情報）（以下、同じ）の例を示す。図８は無線機ＩＤと無線ネットワーク内の各無線機へ送信する際に必要な中継回数から構成されている。無線機Ｃ（１Ｃ）は図８より中継受信先無線端末に無線機Ａ（１Ａ）を選択する。作成したパケットの例を図９に示す。無線機Ｃ（１Ｃ）は作成したパケットを送信し無線機Ａ（１Ａ）が受信する。
【００３４】
無線機Ａ（１Ａ）は、受信した図９のパケットより着信先無線機ＩＤが同一であることを認識し着信処理を行い受信したパケットにより保持する発信元管理情報に登録する。先ず図９より、移動無線端末は無線機Ｈ（１Ｈ）であり発信元無線端末は無線機Ｃ（１Ｃ）であることが分かる（Ｓ３）。
【００３５】
この情報を発信元管理情報に登録する。登録した結果の例を図１０に示す。図１０は、移動無線端末のＩＤと、その移動無線端末に隣接している固定無線機ＩＤから成る。以上のように行うことで無線機Ａ（１Ａ）は無線機Ｈ（１Ｈ）の存在を認識することが出来る（Ｓ３）。
【００３６】
次に、無線機Ａ（１Ａ）から無線機Ｈ（１Ｈ）へデータパケットを送信する（Ｓ４）。
無線機Ａ（１Ａ）は、発信元管理情報を参照し、移動無線端末に隣接する固定無線端末を選択すると、移動無線端末である無線機Ｈ（１Ｈ）に隣接する固定無線端末は無線機Ｃ（１Ｃ）であることが分かる。そこで、無線機Ｃ（１Ｃ）を一時的な着信先として、上記記載の従来技術を利用しパケットを送信する（Ｓ４）。
この場合のパケットフォーマット例を図１１に示す。
次に無線機Ｃ（１Ｃ）は、着信先無線機ＩＤが一致するためにパケットを着信処理するが、移動無線機ＩＤに無線機Ｈ（１Ｈ）が格納されていることがわかる。そして、無線機Ｃ（１Ｃ）は移動無線機ＩＤを着信先無線機ＩＤに編集して移動無線端末宛てにパケット送信をする。
【００３７】
送信するパケットフォーマットの例を図１２に示す。無線機Ｈ（１Ｈ）は無線機Ｃ（１Ｃ）からのパケットを受信し、受信応答を無線機Ｃ（１Ｃ）に送信することで、無線機Ｃ（１Ｃ）は無線機Ｈ（１Ｈ）がパケットを受信したことを確認することが可能である。
しかし、無線機Ｃ（１Ｃ）が無線機Ｈ（１Ｈ）からの受信応答を受信できなかった場合を考える。無線機Ｃ（１Ｃ）が保持する図５の固定局管理情報を参照すると、別の隣接固定無線機が存在し無線機Ｅ（１Ｅ）であることが分かる。そこで、一時的に着信先無線機ＩＤを無線機Ｅ（１Ｅ）に変更し、パケット中のリトライ回数を−１して無線機Ｅ（１Ｅ）に中継送信する。無線機Ｅ（１Ｅ）は中継受信し、着信先無線機ＩＤが一致するため、次に移動無線ＩＤが存在することがわかる。そこで上記無線機Ｃ（１Ｃ）の場合と同様に、無線機Ｈ（１Ｈ）宛てにパケットを送信し、無線機Ｈ（１Ｈ）から受信応答を受信できれば通信を終了する。
【００３８】
しかし、それでも受信応答を受信できない場合は、無線機Ｅ（１Ｅ）の固定局管理情報を参照し以下リトライ回数まで繰り返す。リトライ回数０で通信は終了する（リトライの回数は最適な値を選定し固定値又は、状況に応じた計算により変数値を使用してもよい）。
【００３９】
次に、無線機Ｈ（１Ｈ）から無線機Ａ（１Ａ）にパケットを送信する際は、移動局管理情報を参照し、隣接の固定無線端末として無線機Ｃ（１Ｃ）を選択してパケット送信し、従来技術を利用して無線機Ｃ（１Ｃ）から無線機Ａ（１Ａ）宛てにパケットが中継送信されたことを受信できるため無線機Ｈ（１Ｈ）は送信を止める。もし、無線機Ｃ（１Ｃ）が送信したパケットを受信できなかった場合、再度移動局管理情報を参照し無線機Ｅ（１Ｅ）に再送する。以下、無線機Ｅ（１Ｅ）又は無線機Ｃ（１Ｃ）が中継送信するパケットを受信できるまで、又はリトライ回数を超えるまで再送を繰り返す。
【００４０】
次に、移動無線端末は、無線通信ネットワーク内のある固定無線端末にパケット送信する際、目的の固定無線端末に対する移動局接続情報がない場合を考える。
移動無線端末は、無線通信ネットワーク中の固定無線端末との接続状況を検索する。
【００４１】
移動無線端末は検索するためパケットをブロードキャスト送信し、移動無線端末に隣接する固定無線端末がパケットを受信する。受信した隣接固定無線端末はランダム時間後に受信応答を返信する。（ここでランダム時間は予め設定した時間でもよく、無線機ＩＤを元に各無線端末が計算してもよい）ランダム時間後に返信されたパケットを移動無線端末が受信しそれを元に移動局管理情報に登録し移動局管理情報を各固定無線端末に通知する。通知された移動局管理情報を受信した隣接固定無線端末は、該移動局管理情報を元に固定局管理情報を作成し登録する。
【００４２】
実際に、移動無線端末である無線機Ｈ（１Ｈ）から、データを送信する目的である無線機Ａ（１Ａ）の情報を図１における無線通信ネットワークにおいて検索する。無線機Ｈ（１Ｈ）は、隣接している固定無線端末検索用のパケットをブロードキャスト送信する。このパケットを無線機Ｃ（１Ｃ）及び無線機Ｅ（１Ｅ）が受信したとする。無線機Ｃ（１Ｃ）及び無線機Ｅ（１Ｅ）はランダム時間後にパケットを返信する。返信されたパケットを受信した無線機Ｈ（１Ｈ）は、隣接に無線機Ｃ（１Ｃ）及び無線機Ｅ（１Ｅ）が存在することがわかり、移動局管理情報の隣接固定無線機ＩＤに無線機Ｃ（１Ｃ）と無線機Ｅ（１Ｅ）を登録する。
【００４３】
次に無線機Ｈ（１Ｈ）は移動局管理情報を固定無線端末に通知する。無線機Ｈ（１Ｈ）が送信した移動局管理情報を受信した無線機Ｃ（１Ｃ）及び無線機Ｅ（１Ｅ）は固定局管理情報に登録する。無線機Ｃ（１Ｃ）は移動無線機ＩＤに無線機Ｈ（１Ｈ）、別の隣接無線機ＩＤに無線機Ｅ（１Ｅ）を登録する。無線機Ｅ（１Ｅ）は移動無線機ＩＤに無線機Ｈ（１Ｈ）、別の隣接無線機ＩＤに無線機Ｃ（１Ｃ）を登録する。
【００４４】
次に、移動無線端末は、目的の固定無線機宛てにパケットを送信しパケット受信した固定無線端末は上記従来技術を利用して目的の固定無線端末までパケットを転送する。そのために、無線機Ｈ（１Ｈ）は無線機Ａ（１Ａ）宛てのパケットを作成する。作成したパケットの例は上記と同様、図７に示す応答パケットの構成と同じである。無線機Ｈは図７のパケットを送信し無線機Ｃ（１Ｃ）が受信する。
【００４５】
無線機Ｃ（１Ｃ）は受信したパケットを元に上述同様図９のパケットを作成し無線機Ａ（１Ａ）にパケットを送信し無線機Ａ（１Ａ）が受信する。無線機Ａ（１Ａ）は受信したパケットから無線機Ｈ（１Ｈ）が存在し、無線機Ｈ（１Ｈ）に隣接して無線機Ｃ（１Ｃ）が存在していることが分かる。そこで、無線機Ａ（１Ａ）内部に保持する発信元管理情報に、移動無線端末として無線機Ｈ（１Ｈ）、移動無線端末に隣接する固定無線端末として無線機Ｃ（１Ｃ）を登録する。以降の、無線機Ａ（１Ａ）からのデータ転送は、従来技術と上記の方式を利用して通信を行う。
【００４６】
また、これら移動局管理情報、固定局管理情報及び発信元管理情報は移動無線端末の移動速度や接続情報の更新を考慮し特定時間経過後に削除する。
次に、複数の移動無線端末が無線通信ネットワークに存在する場合についても考えてみる、複数の移動無線端末が存在する場合、固定無線端末と移動無線端末間にはいくつかの状態がある。（１）発信元固定端末に対して各移動無線端末同士が直接接続できない距離にいるとき、（２）発信元固定端末に対して各移動無線端末が直接接続できる距離にあるとき、（３）複数の発信元固定端末が一台の移動無線端末に対してアクセスをしてきたとき、最初に（１）（２）について考えると、初期状態の固定無線端末が移動無線端末を認識するためにブロードキャスト送信をして、発信元固定無線端末に早くパケットが返ってきた移動無線端末を優先し発信元固定端末は認識するため固定無線端末が認識する移動無線端末は１つである。また、移動無線端末同士が直接接続可能な場所にいても当然問題はなく先に届いたパケットをみて認識するだけである。（３）においては、各発信元固定端末がブロードキャスト送信をしてきてもやはり同じで早く移動無線端末に届いたパケットが優先される。ここで中継固定無線端末についても考えると、中継固定端末は直接接続可能で尚且つ早く受信した移動無線端末からのパケットを発信元無線端末に送信する。よって、複数台の移動無線端末が存在しても発信元固定無線端末が認識する移動無線端末は１つである。このことから複数台の移動無線端末が存在してもかまわないことがわかる。
【００４７】
更に、上記の認識されなかった移動無線端末の情報を、中継固定無線端末、発信元固定無線端末が通信履歴情報のような管理情報を残しておくことで、各移動無線端末の位置関係を認識することもできる。また上記で説明した移動局管理情報、固定局管理情報及び発信元管理情報は、移動無線端末の移動速度や接続情報の更新だけででなく緊急性があれば通信履歴情報に登録された優先順位を変えることができるようなフラグを設けて、移動無線端末を切替えてもよい。
【００４８】
上述のように、本発明の実施の形態を、図面を参照しながら説明してきたが、本発明が適用される無線通信システムを制御するプログラムは、そのプログラムコードを記録したＲＯＭやＲＡＭのメモリ、外部記録装置、可搬記録媒体を、無線端末に供給し、その無線端末のコンピュータがプログラムコードを読み出し実行することによっても、達成されることは言うまでもない。
【００４９】
この場合、記録媒体から読み出されたプログラムコード自体が本発明の新規な機能を実現することになり、そのプログラムコードを記録した可搬記録媒体等は本発明を構成することになる。プログラムコードを提供するための可搬記録媒体としては、例えば、フロッピー（登録商標）ディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００５０】
また、コンピュータがメモリ上に読み出したプログラムコードを実行することによって、前述した実施の形態の機能が実現される他、そのプログラムコードの指示に基づき、コンピュータ上で稼動しているＯＳなどが実際の処理の一部又は全部を行い、その処理によっても前述した実施の形態の機能が実現される。
【００５１】
更に、可搬型記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実現の処理の一部又は全部を行い、その処理によっても前述した実施の形態の機能が実現され得る。
【００５２】
すなわち、本発明は、以上に述べた実施の形態に限定されるものではなく、本発明の要旨を逸脱しない範囲で種々の構成又は形状を取ることができる。
【図面の簡単な説明】
【００５３】
【図１】特定のエリアに分散配置された無線通信ネットワークの例を示す図である。
【図２】固定無線端末から移動無線端末へのパケット送信を簡単に示したフロー図である。
【図３】無線通信ネットワーク内の固定無線端末、無線機Ａ乃至Ｆと移動無線端末、無線機Ｈのブロードキャスト送信時の通信シーケンスを示す図である。
【図４】無線通信ネットワーク内の固定無線端末、無線機Ａと移動無線端末、無線機Ｈが通信を行う際に無線機Ｈが有する移動局管理情報の構成を示す図である。
【図５】特定エリアに分散配置された固定無線通信ネットワーク内の固定無線端末、無線機Ａと移動無線端末、無線機Ｈが通信を行う際に中継局固定無線端末、無線機Ｃが有する固定局管理情報の構成を示す図である。
【図６】特定エリアに分散配置された固定無線通信ネットワーク内の固定無線端末、無線機Ａと移動無線端末、無線機Ｈが通信を行う際に中継局固定無線端末、無線機Ｅが有する固定局管理情報の構成を示す図である。
【図７】無線通信ネットワーク内の固定無線端末、無線機Ａと移動無線端末、無線機Ｈが有する移動局管理情報を元に作成した応答パケットの構成を示す図である。
【図８】無線通信ネットワーク内の固定無線端末、無線機Ａと移動無線端末、無線機Ｈが通信を行う際に中継固定無線端末、無線機Ｃが有する構成情報の構成を示す図である。
【図９】無線通信ネットワーク内の固定無線端末、無線機Ａと移動無線端末、無線機Ｈが通信を行う際に中継固定無線端末、無線機Ｃが有する構成情報を元に応答パケットを作成した構成を示す図である。
【図１０】無線通信ネットワーク内の固定無線端末、無線機Ａと移動無線端末、無線機Ｈが通信を行う際に発信元である固定無線端末、無線機Ａが有する発信元管理情報に登録した例を示す図である。
【図１１】無線通信ネットワーク内の固定無線端末、無線機Ａと移動無線端末、無線機Ｈが通信を行う際に発信元である固定無線端末、無線機Ｃが一時的な着信先としてパケットを送信する時のパケットを示す図である。
【図１２】無線通信ネットワーク内の固定無線端末、無線機Ａと移動無線端末、無線機Ｈが通信を行う際に発信元である固定無線端末、無線機Ｃが着信先ＩＤを編集してパケットを送信する時のパケットを示す図である。
【図１３】固定無線端末と移動無線端末の構成を示す図である。
【符号の説明】
【００５４】
１Ａ 固定無線端末 無線機Ａ
１Ｂ 固定無線端末 無線機Ｂ
１Ｃ 固定無線端末 無線機Ｃ
１Ｄ 固定無線端末 無線機Ｄ
１Ｅ 固定無線端末 無線機Ｅ
１Ｆ 固定無線端末 無線機Ｆ
１Ｈ 移動無線端末 無線機Ｈ
Ｓ１ 固定無線端末の管理情報の有無判断
Ｓ２ 発信元固定無線端末が移動無線端末を検索する処理
Ｓ３ 移動無線端末を検索した判断
Ｓ４ 従来方式によるパケット送信処理
３１ 無線機Ｃの送信を無線機Ｈが受信するタイミング
３２ 無線機Ｅの送信を無線機Ｈが受信するタイミング
３３ 無線機Ｃの送信開始から無線機Ｅの送信開始までの期間
３４ 無線機Ｃの送信と無線機Ｄの送信を無線機Ｂが受信するタイミング
３５ 無線機Ｃの送信と無線機Ｄの送信を無線機Ｅが受信するタイミング
３６ 無線機Ｃの送信と無線機Ｄの送信を無線機Ｆが受信するタイミング
１３１ 固定無線端末又は移動無線端末のアンテナ
１３２ 固定無線端末又は移動無線端末の無線機ブロック
１３３ 固定無線端末又は移動無線端末の本体
１３４ 固定無線端末又は移動無線端末の管理情報制御処理部
１３５ 固定無線端末又は移動無線端末の管理情報格納部
【図１】
0004817604.tif 000002
【図２】
0004817604.tif 000003
【図３】
0004817604.tif 000004
【図４】
0004817604.tif 000005
【図５】
0004817604.tif 000006
【図６】
0004817604.tif 000007
【図７】
0004817604.tif 000008
【図８】
0004817604.tif 000009
【図９】
0004817604.tif 000010
【図１０】
0004817604.tif 000011
【図１１】
0004817604.tif 000012
【図１２】
0004817604.tif 000013
【図１３】
0004817604.tif 000014